(57)【要約】【課題】本発明は階調表現力の向上と疑似輪郭を低減させるプラズマディスプレイパネルの駆動装置及びその階調表現方法に関する。【解決手段】入力映像信号の１フレームデータの平均信号レベルを測定してサステインパルス数を決定してこれに対応する逆ガンマ補正テーブルを別にしてサステインパルス数に該当する逆ガンマ補正階調が表現されるようにする。そして、平均信号レベルによって決定されたサステインパルス数を複数のグループに分類して各グループに対応するサステインパルス数中心のサブフィールドに変換する。この時、各グループに対応されるサブフィールドが有するサステインパルス数は互いに異なる。【選択図】図５
2005122188.tif 000002
【特許請求の範囲】
【請求項１】
入力映像信号に対応してプラズマディスプレイパネルに表示される各フィールドの画像を複数個のサブフィールドに分け、このサブフィールド等の組み合わせによって階調を表示して前記映像信号に対応する映像を表示するプラズマディスプレイパネルの駆動装置において、
前記入力映像信号の１フレームデータの平均信号レベルを測定してサステインパルス数を決定するサステインパルス数決定部;
前記サステインパルス数決定部によって決定されたサステインパルス数に対応する複数のガンマ補正を利用して前記プラズマディスプレイパネルに印加するサステインパルス数に該当する逆ガンマ補正階調が表現されるように前記入力映像信号を逆ガンマ補正する逆ガンマ補正部;
前記サステインパルス数の決定部によって決定されたサステインパルス数によって各サブフィールドが有するサステインパルス数を異なるようにして前記逆ガンマ補正部から出力されるデータに対応するサステインパルス数中心のサブフィールドに変換するサステインパルスサブフィールド変換部;
前記サステインパルスサブフィールド変換部で変換されたサブフィールド配列に基づいて制御信号を生成して前記プラズマディスプレイパネルに印加する維持・走査駆動部を含むことを特徴とするプラズマディスプレイパネルの駆動装置。
【請求項２】
前記サステインパルスサブフィールド変換部によって変換されたサブフィールドの個数は前記サステインパルス数の決定部によって決定された最大のサステインパルスの個数に対応して決定されることを特徴とする、請求項１に記載のプラズマディスプレイパネルの駆動装置。
【請求項３】
前記サステインパルスサブフィールド変換部は前記サステインパルス数の決定部によって決定されたサステインパルス数によって各サブフィールドが有するサステインパルス数を異なるようにするための複数のサステインパルスサブフィールド変換部を有することを特徴とする、請求項１または請求項２に記載のプラズマディスプレイパネルの駆動装置。
【請求項４】
前記サステインパルスサブフィールド変換部が有する複数のサステインパルスサブフィールド変換部は前記サステインパルス数の決定部によって決定されたサステインパルス数のグループによって各々動作することを特徴とする、請求項３に記載のプラズマディスプレイパネルの駆動装置。
【請求項５】
前記サステインパルス数の結晶部によって決定されたサステインパルス数が多い場合より少ない場合に前記サステインパルスサブフィールド変換部で変換された各サブフィールドが有するサステインパルス数がさらに少ないことを特徴とする、請求項１または請求項２に記載のプラズマディスプレイパネルの駆動装置。
【請求項６】
前記サステインパルス数決定部は前記平均信号レベルが高い場合に少ないサステインパルス数を結晶し、前記平均信号レベルが低い場合に多いサステインパルス数を決定することを特徴とする、請求項１または請求項２に記載のプラズマディスプレイパネルの駆動装置。
【請求項７】
前記複数ガンマ補正は複数のガンマテーブルを用いて実現されることを特徴とする、請求項１に記載のプラズマディスプレイパネルの駆動装置。
【請求項８】
前記複数ガンマ補正は演算を行って実現されることを特徴とする、請求項１に記載のプラズマディスプレイパネルの駆動装置。
【請求項９】
入力映像信号に対応してプラズマディスプレイパネルに表示される各フィールドの画像を複数個のサブフィールドに分け、このサブフィールド等の組み合わせによって階調を表示して前記映像信号に対応する映像を表示するプラズマディスプレイパネルの階調表現方法において、
（ａ）前記入力映像信号の１フレームデータの平均信号レベルを測定してサステインパルス数を決定する段階;
（ｂ）前記段階（ａ）で決定されたサステインパルス数に対応する複数のガンマ補正を用いて前記プラズマディスプレイパネルに印加するサステインパルス数に該当する逆ガンマ補正階調が表現されるように前記入力映像信号を逆ガンマ補正する段階;
（ｃ）前記段階（ａ）で決定されたサステインパルス数によって各サブフィールドが有するサステインパルス数を異なるようにし、前記段階（ｂ）で逆ガンマ補正されて出力されるデータに対応するサステインパルス数中心のサブフィールドに変換する段階;
（ｄ）前記段階（ｃ）で生成されたサブフィールドのデータに対応する映像が前記プラズマディスプレイパネルに表示されるように制御する段階を含むプラズマディスプレイパネルの階調表現方法。
【請求項１０】
前記段階（ｃ）で変換されたサブフィールドの個数は前記段階（ａ）で決定された最大サステインパルス個数に対応して決定されることを特徴とする、請求項９に記載のプラズマディスプレイパネルの階調表現方法。
【請求項１１】
第９項または第１０項において、
前記段階（ａ）で決定されたサステインパルス数が多い場合より少ない場合に前記段階（ｃ）で変換された各サブフィールドが有するサステインパルス数がさらに少ないことを特徴とする、請求項９または請求項１０に記載のプラズマディスプレイパネルの階調表現方法。
【請求項１２】
前記段階（ｂ）での前記複数のガンマ補正は複数のガンマテーブルを用いて実現されることを特徴とする、請求項９に記載のプラズマディスプレイパネルの階調表現方法。
【発明の詳細な説明】
【技術分野】
【０００１】
本発明はプラズマディスプレイパネル（ＰＤＰ）の駆動装置及びその階調表現方法に関し、特に階調表現力の向上と疑似輪郭を低減させるプラズマディスプレイパネルの駆動装置及びその階調表現方法に関する。
【背景技術】
【０００２】
最近、液晶表示装置（ＬＣＤ）、電界放出表示装置（ＦＥＤ）、プラズマディスプレイパネルなどの平面表示装置が活発に開発されている。これらの平面表示装置の中でプラズマディスプレイパネルは他の平面表示装置に比べて輝度及び発光効率が高くて視野角が広いという長所がある。従って、プラズマディスプレイパネルは４０インチ以上の大型表示装置の分野で従来の陰極線管（ＣＲＴ）を代替する表示装置として脚光を浴びている。
【０００３】
プラズマディスプレイパネルは気体放電によって生成されたプラズマを用いて文字または映像を表示する平面表示装置であって、その大きさによって数十から数百万個以上の画素がマトリックス形態に配列されている。このようなプラズマディスプレイパネルは印加される駆動電圧波形の形態と放電セルの構造によって直流型と交流形に区分される。
【０００４】
直流型プラズマディスプレイパネルは、電極が放電空間に絶縁されないまま露出されていて電圧が印加される間は継続して電流が放電空間に流れるので、このために電流制限用の抵抗を要する短所がある。反面、交流型プラズマディスプレイパネルでは、電極を誘電体層が覆っているので自然な直列キャパシタンス成分の形成で電流が制限されると共に放電時のイオン衝撃から電極が保護されるので直流型に比べて寿命が長い長所がある。
【０００５】
図１は交流型プラズマディスプレイパネルの一部斜視図である。
【０００６】
図１に示したように、第１のガラス基板１上に誘電体層２及び保護膜３で覆われた走査電極４と維持電極５が対になって平行に形成される。第２のガラス基板６上には絶縁体層７で覆われた複数のアドレス電極８が形成される。隣り合うアドレス電極８の間にある絶縁体層７上にはアドレス電極８と平行に隔壁９が形成されており、絶縁体層７の表面及び隔壁９の両側面に蛍光体１０が形成されている。第１と第２のガラス基板１、６は、走査電極４及び維持電極５とアドレス電極８が直交するように放電空間１１を隔てて対向配置されている。対になっている走査電極４及び維持電極５とアドレス電極８との交差部にある放電空間が放電セル１２を形成する。
【０００７】
図２はプラズマディスプレイパネルの電極配列図を示す。
【０００８】
図２に示したように、プラズマディスプレイパネルの電極はｍ×ｎのマトリックス形態に配列されている。具体的には、列方向に長いアドレス電極（Ａ１-Ａｍ）が行方向に複数本配列されていて、行方向に長い走査電極（Ｙ１-Ｙｎ）及び維持電極（Ｘ１-Ｘｎ）が列方向に交互に配列されている。 走査電極（Ｙ１-Ｙｎ）及び維持電極（Ｘ１-Ｘｎ）は各々左または右と、互いに反対方向に片寄っているので、図２のようにジグザグ配置になっている。なお、図２に斜線部として示す放電セル１２は、図１の放電セル１２に対応する。
【０００９】
このような交流型プラズマディスプレイパネルの駆動方法は、一般に、時間経過に伴う動作変化で表現すれば、１面の画像を表現するための期間、つまり１フィールドまたは１フレームが多数のサブフィールドに分けられ、各サブフィールドはリセット期間、アドレシング期間及びサステイン期間に分けられる。
【００１０】
リセット期間はセルのアドレシング動作が円滑に遂行されるようにするために各セルの状態を初期化させる期間であり、アドレシング期間は点灯させるセルと点灯させないセルを選別するために点灯するセル（アドレシングされるセル）にアドレス電圧を印加して壁電荷を積む動作を行う期間である。サステイン期間はサステインパルスを印加してアドレシングされたセルに実際に画像を表示するための放電を遂行させる期間である。
【００１１】
図３に示したように、プラズマディスプレイパネルでは１フレーム（または１ＴＶフィールド）を複数のサブフィールドに分けて、これを時分割制御して階調を実現する。各サブフィールドは前述したリセット期間、アドレシング期間及びサステイン期間からなる。図３には２５６階調を実現するために１フレームを８個のサブフィールドに分けたことを示した。各サブフィールド（ＳＦ１-ＳＦ８）はリセット期間（図示せず）、アドレス期間（Ａ１-Ａ８）及びサステイン期間（Ｓ１-Ｓ８）からなって、サステイン期間（Ｓ１-Ｓ８）は発光期間（１Ｔ、２Ｔ、４Ｔ、…、１２８Ｔ）の比が１:２:４:８:１６:３２:６４:１２８になる。
【００１２】
この時、例えば３の階調を実現するためには１Ｔ発光期間を有するサブフィールドＳＦ１と２Ｔ発光期間を有するサブフィールドＳＦ２で該当セルを放電させて放電期間の合計が３Ｔになるようにする。このような方法で互いに異なる発光期間を有するサブフィールドを組み合わせて２５６階調の映像を表示する。
【００１３】
また、従来のプラズマディスプレイパネルの階調表現方法では、図３のようなサステイン期間に対応するサブフィールド加重値にフレーム別平均階調に応じて適当な倍数をかけ、各サブフィールド別に割当られるパルス数の総数を、およそ一定にするように決定した。つまり、フレーム別にコントラストを増加させると同時に消費電力を安定化させるためにフレーム別平均階調によってサステイン・パルス数を変化させた。、例えば、平均階調が低い場合は相対的に多いサステイン・パルス数が割当られるようにサブフィールド加重値を４倍にした数値を用い、反対に、平均階調が高い場合は相対的に低いサステイン・パルス数が割当られるようにサブフィールド加重値を２倍にした数値のパルス数を用いて２５６階調を表現した。従って、従来の方法ではサステイン・パルス数に関係なく階調中心に決定されたサブフィールド加重値に一定の倍数をかけてサステインの総合計だけ増加させて階調を表現しているために、階調表現力を増加させることに限界がある。
【００１４】
そして、前記のようなサブフィールド駆動方法によって動映像を表示する時、人間視覚特性により疑似輪郭が発生する。図４は具体的に疑似輪郭が発生する一例を示す図面である。階調１２７と階調１２８が並んでいる映像が右側に速度１で動く場合、図３のようなサブフィールド配列により図４のように示すことができる。この時、人間の視覚が映像の動きについて行く特性によって、図４に示したような矢印方向に階調を認識する。従って、特定セルの点灯状態が時間的に連なる場合には相対的に明るい点として認識され、点灯−非点灯−点灯のように明暗が交互に続く場合には相対的に暗い点として認識される結果、階調１２７と階調１２８の間に階調２５５のような視覚的に明るい点、つまり疑似輪郭が発生する。
【発明の開示】
【発明が解決しようとする課題】
【００１５】
本発明が目的とする技術的課題は前記従来技術の問題点を解決するためのものであって、最大サステイン・パルス個数の程度に対応する階調を表現するようにして階調表現力を向上させると同時に疑似輪郭を低減させるプラズマディスプレイパネルの駆動装置及びその階調表現方法を提供することにある。
【課題を解決するための手段】
【００１６】
前記目的を達成するための本発明の特徴によるプラズマディスプレイパネルの駆動装置は、入力映像信号に対応してプラズマディスプレイパネルに表示される各フィールドの画像を複数個のサブフィールドに分け、このサブフィールドの組み合わせによって階調を表示して前記映像信号に対応する映像を表示するプラズマディスプレイパネルの駆動装置において、
前記入力映像信号の１フレームデータの平均信号レベルを測定してサステインパルス数を決定するサステインパルス数決定部;
前記サステインパルス数決定部によって決定されたサステインパルス数に対応する複数のガンマ補正を利用して前記プラズマディスプレイパネルに印加するサステインパルス数に該当する逆ガンマ補正階調が表現されるように前記入力映像信号を逆ガンマ補正する逆ガンマ補正部;
前記サステインパルス数決定部によって決定されたサステインパルス数によって各サブフィールドが有するサステインパルス数を異ならせて前記逆ガンマ補正部から出力されるデータに対応するサステインパルス数中心のサブフィールドに変換するサステインパルスサブフィールド変換部;
前記サステインパルスサブフィールド変換部で変換されたサブフィールド配列に基づく制御信号を生成して前記プラズマディスプレイパネルに印加する維持・走査駆動部を含む。
【００１７】
本発明の他の特徴によるプラズマディスプレイパネルの階調表現方法は、
入力映像信号に対応してプラズマディスプレイパネルに表示される各フィールドの画像を複数個のサブフィールドに分け、このサブフィールドの組み合わせによって階調を表示して前記映像信号に対応する映像を表示するプラズマディスプレイパネルの階調表現方法において、
（ａ）前記入力映像信号の１フレームデータの平均信号レベルを測定してサステインパルス数を決定する段階;
（ｂ）前記段階（ａ）で決定されたサステインパルス数に対応する複数のガンマ補正を用いて前記プラズマディスプレイパネルに印加するサステインパルス数に対応する逆ガンマ補正階調が表現されるように前記入力映像信号を逆ガンマ補正する段階;
（ｃ）前記段階（ａ）で決定されたサステインパルス数によって各サブフィールドが有するサステインパルス数を異ならせ、前記段階（ｂ）で逆ガンマ補正されて出力されるデータに対応するサステインパルス数中心のサブフィールドに変換する段階;
（ｄ）前記段階（ｃ）で生成されたサブフィールドのデータに対応する映像が前記プラズマディスプレイパネルに表示されるように制御する段階を含む。
【発明の効果】
【００１８】
以上で説明したように、本発明によるとサステインパルス数中心のサブフィールド配列方法を提案すると同時に用いられるサステインパルス数によっていくつかのサステインのパルスグループに分けて各グループを表現するサステインのパルスサブフィールド配列を異ならせることによって、階調表現性能を向上させると同時に疑似輪郭をさらに低減させることができる。
【発明を実施するための最良の形態】
【００１９】
以下、添付した図面を参考して本発明の実施例に対して本発明の属する技術分野における通常の知識を有する者が容易に実施できるように詳細に説明する。しかし、本発明は多様に変化した形態で実現できてここで説明する実施例に限定されない。
【００２０】
図面から本発明を明確に説明するために説明と関係ない部分は省略した。明細書全体を通じて類似な部分については同一な図面符号を付けた。
【００２１】
次に本発明の実施例に対して添付した図面を参照して詳細に説明する。
【００２２】
図５は本発明の実施例によるプラズマディスプレイパネルの概略的な平面図である。
【００２３】
図５に示したように、本発明の実施例によるプラズマディスプレイパネルはプラズマパネル１００、アドレス駆動部２００、走査・維持駆動部３００及び制御部４００を含む。
【００２４】
プラズマパネル１００は列方向に配列されている複数のアドレス電極（Ａ１-Ａｍ）と行方向にジグザグに配列されている複数の走査電極（Ｙ１-Ｙｎ）及び維持電極（Ｘ１-Ｘｎ）を含む。ここで、ジグザグとは、図２のように、左よりに配置されたＹ電極と右寄りに配置されたＸ電極が、交互に配置されている状態を意味し、図５の場合にはジグザグでなくてもよい。アドレス駆動部２００は制御部４００からアドレス駆動制御信号を受信して表示しようとする放電セルを選択するための表示データ信号を各アドレス電極（Ａ１-Ａｍ）に印加する。走査・維持駆動部３００は制御部４００から制御信号を受信して走査電極（Ｙ１-Ｙｎ）と維持電極（Ｘ１-Ｘｎ）にサステイン・パルスを交互に入力することによって、選択された放電セルに対して交流型の維持放電を遂行し、一回の維持放電は、一個のサステイン・パルスに対応する。 
【００２５】
制御部４００は外部からＲ、Ｇ、Ｂ映像信号と同期信号を受信して１フレームをいくつかのサブフィールドに分けて、更に各サブフィールドをリセット期間、アドレス期間及び維持放電期間に分けてプラズマディスプレイパネルを駆動する。この時、制御部４００は１フレームに入るサブフィールドの各維持放電期間に入るサステイン・パルスの個数を調節して必要な制御信号をアドレス駆動部２００及び走査維持駆動部３００に供給する。
【００２６】
下記では図６乃至図１２を参照して本発明の実施例による制御部４００に対して詳細に説明する。
【００２７】
図６は本発明の実施例によるプラズマディスプレイパネルの制御部４００の概略的なブロック図である。
【００２８】
図６に示したように、本発明の実施例によるプラズマディスプレイパネルの制御部４００はサステインパルス数決定部４１０、フレームメモリ部４２０、逆ガンマ補正部４３０、サステインパルスサブフィールド変換部４４０を含む。
【００２９】
サステインパルス数決定部４１０は入力映像信号のフレーム別サステインパルス数を決定する。つまり、サステインパルス数決定部４１０は輝度と消費電力の両側面を考慮して最大のサステインパルス数を決定する。サステインパルス数を決定するためにはフレーム別平均信号レベル（Ａｖｅｒａｇｅ Ｓｉｇｎａｌ Ｌｅｖｅｌ、´ＡＳＬ´）を計算するが、これは下記の数式１によって計算される。
【００３０】
【数１】
2005122188.tif 000003
【００３１】
前記数式１でＲｘ、ｙ、Ｇｘ、ｙ、Ｂｘ、ｙは各々ｘ、ｙ位置でＲＧＢ階調値を示し、ＮとＭは各々フレームの横、縦の大きさ（セルの個数）を示す。前記数式１のように計算された平均信号レベル（ＡＳＬ）によって輝度と消費電力の両側面を考慮してサステインパルス数決定部４１０はサステインパルス数を入力映像信号のフレーム別にサステインパルス数を変化させて決定する。
【００３２】
図７はフレーム平均信号レベルとこの時に用いられるサステインパルス数の関係の例を示す図面である。図７に示したように、フレーム別平均階調が低いとピーク輝度を高めるために多数個のサステイン・パルスを使用し、平均階調が高いと消費電力を減少させるために少数個のサステイン・パルスを使用する。
【００３３】
この時、本発明によれば、図９に示すようにフレーム当たり最大パルス数と最大階調数は、大凡１：１の比例関係に在る。従って、主に平均階調が明るい映像では、サステインパルス数を減少させることによって、用いるサステインパルス数が減少すると同時に表現できる階調数が減少する（下記で詳述）。しかし、平均階調が暗く階調表現問題が発生し易い映像では用いるサステインパルス数が多いので階調数が増加して調整容易になるため階調表現問題が少なくなる。
【００３４】
逆ガンマ補正部４３０は複数の逆ガンマ補正ルックアップテーブルを含んで前記サステインパルス決定部４１０によって決定されたサステインパルス数（入力映像信号の平均信号レベルによって決定される）に対応する逆ガンマ補正階調が表現されるように逆ガンマ補正を遂行する。つまり、サステインパルス決定部４１０で決定されたサステインパルス数に応じて、複数の逆ガンマ補正ルックアップテーブル（ＳＰ１、ＳＰ２、… ＳＰｎ：図示せず）の中から選択してサステインパルス数に対応する逆ガンマ補正階調が表現されるように逆ガンマ補正する。この時、逆ガンマ補正は逆ガンマ補正テーブルを用いて実現することもできるけれど、演算を行って実現することもできる。
【００３５】
図８は逆ガンマ補正部４３０がサステインパルス数によって逆ガンマ補正テーブルを異ならせる一例を示す図面である。図８に示したように、サステインパルス数が最大値Ｐｍａｘである場合はＳＰ１の逆ガンマ補正ルックアップテーブルによって逆ガンマ補正が遂行される。言い換えると、各サステインパルス数によって互いに異なる逆ガンマ曲線の中から一つを選択して逆ガンマ補正が遂行される。
【００３６】
この時、逆ガンマ補正部４３０に入力される映像信号はデジタル信号であって、プラズマディスプレイパネルにアナログ映像信号が入力される場合にはアナログデジタル変換器（図示せず）を用いてアナログ映像信号をデジタル映像信号に変換する必要がある。そして逆ガンマ補正部４３０は映像信号をマッピングするための逆ガンマ曲線に該当するデータを貯蔵しているルックアップテーブル（図示せず）または逆ガンマ曲線に該当するデータを論理演算で生成するための論理回路（図示せず）を含むことができる。
【００３７】
フレームメモリ部４２０はサステインパルス数決定部４１０がサステインパルス数を決定することに要求される時間と同じだけ現在入力されるフレームのデータを貯蔵して遅延させる役割を果たす。
【００３８】
サステインパルスサブフィールド変換部４４０は逆ガンマ補正部４３０によって出力されるサステインパルス数に該当する逆ガンマ補正階調結果をサステインパルス数中心のサブフィールドに変換する。つまり、従来は階調を重視してサブフィールド・データを変換したが、本発明では、サステインパルス数を重視してサブフィールド・データを変換する。図９は、フレーム当たりサブフィールド個数(n)別（第1行、第2行、第3行、…）にフレーム当たりサステインパルス数及び階調数の各最大値(P、P+1)とサブフィールド個数(n)、各サブフィールド番号別（sf1，sf2，sf3，…）のサブフィールド当たりサステインパルス数最大値を示す表である。図９のサステインパルスとサブフィールドの配列は下記の数式２によって計算される。なお、サブフィールド番号（sf1，sf2，sf3，…）は維持放電の順番を表すとは限らず、放電順序は別の要因によって決定されることが多い。また、サブフィールド当たりサステインパルス数最大値も一例に過ぎない。
【００３９】
【数２】
2005122188.tif 000004
【００４０】
前記数式２で、Ｐはフレーム当たりの総サステインパルス数を示し、ｎはフレーム当たりのサブフィールド個数（大文字Ｎは別途使用）を示す。前記数式２を全て満足することを示したものが図９のようなサステインパルス数に対するサブフィールド配列である。図９に示したように、フレーム当たりサステインパルス数の最大値が１０２３個であり、サブフィールドが１０個である場合サステインパルスサブフィールド配列方法によって１０２４階調が表現される。また、図９で分かるようにサステインパルス数が決定されると最少サブフィールド数が決定されるが、例えばパルス数が１０２４乃至２０４７まではサブフィールド数が最小１１になるべきである。
【００４１】
図１０は、サステインパルス数最大値が１０２３の場合におけるサブフィールドコーディングテーブル（点灯マップ：各階調を表示するための各サブフィールドの発光有無を示す）の図面である。図１０に示したように各サブフィールドは加重値を持たないで（つまり、加重値＝１）、サステインパルス数のみを有して、このようなサステインパルス数を有する各サブフィールドの発光有無によって階調が表現される。ここで、サステインパルスサブフィールド変換部４４０は図１０のようなサブフィールド配列によって最大サステインパルス個数である５１２も表現できる。つまり、サステインパルス数決定部４１０で決定された最大サステインパルス個数が５１２個である場合にサブフィールドパルスサブフィールド変換部４４０はサブフィールド個数が１０個である図１０のような発光パターンを有して表現することができる。しかし、本発明によれば、サブフィールド個数が９個であっても、サブフィールド配列方法の工夫によって表現可能になる。
【００４２】
前記サステインパルスサブフィールド変換部４４０は互いに異なるサブフィールド変換部であるサステインパルスサブフィールド変換部１（図面符号４４２）、サステインパルスサブフィールド変換部２（４４４）を含んでサステインパルス数によってサブフィールド変換部を異なって適用する。この時、前記サステインパルスサブフィールド変換部１（４４２）及びサステインパルスサブフィールド変換部２（４４４）は同一なサブフィールド数を有し、各サブフィールドのサステインパルス個数（各サブフィールドが有するサステインパルス個数を意味する）が互いに異なる。これは用いるサステインパルス数が少ない場合（サステインパルス決定部４１０によってサステイン個数が決定されて、サステイン個数によって逆ガンマ補正が異なるように適用されて出力する値をいう）大きいサステインパルス数を有するサブフィールド等のサステインパルス値を分離させて動映像疑似輪郭を低減させるためのものである。
【００４３】
もし、プラズマディスプレイパネルで用いるフレーム当たりの総使用サステインパルス数が２５６〜１０２３であるならば、つまりＰｍａｘが１０２３でありＰｍｉｎが２５６の場合、この範囲を二つのサステインパルス数の範囲に分ける。第１の範囲を６４０乃至１０２３（Ｐａ〜Ｐｂ）とし、第２の範囲を２５７乃至６３９（Ｐｃ〜Ｐｄ）とすれば（これは任意に変更できる）、サステインパルスサブフィールド変換部１（４４２）とサステインパルスサブフィールド変換部２（４４４）は各々の各範囲に対してサステインパルスサブフィールド配列を決定する。この時、各サステインパルスサブフィールド変換部４４２、４４４は同一サブフィールド数を有する。図１１は各サステインパルスサブフィールド変換部４４２、４４４でのサステインパルスサブフィールド配列の一例を示す図面である。図１１で配列Ａは１０２３サステインパルスを表現するサステインパルスサブフィールド配列を示し、配列Ｂは６３９サステインパルスを表現するサステインパルスサブフィールド配列を示す。ここで、サステインパルスサブフィールド変換部１（４４２）は配列Ａのようなサステインパルスサブフィールド配列を適用してサステインパルス数が６４０〜１０２３（逆ガンマ補正部４３０の範囲Ｐａ〜Ｐｂに対する値をいう）である時サブフィールドの点灯マップに変換し、サステインパルスサブフィールド変換部２（４４４）は配列Ｂのようなサステインパルスサブフィールド配列を適用してサステインパルス数が２５６〜６３９（逆ガンマ補正部４３０の範囲Ｐｃ〜Ｐｄに対する値をいう）である時サブフィールドの点灯マップ（図１２）に変換する。この時、図１１に示したサステインパルスサブフィールド配列は数式２により決定された一例を示すことでその価格は多少変更できることは当業者によって分かる。
【００４４】
図１１で配列Ａは図９のようなコーディングテーブルによってサステインパルス数が１０２３以下である場合は全て表現が可能である。反面、配列Ｂはサステインパルス数が６３９以下に対して表現が可能である。従って、サステインパルス数が６３９以下では図１１に示した配列Ａと配列Ｂにより全て表現できるが、疑似輪郭側面を考慮して６３９以下では配列Ｂを使用する。配列Ｂを使用する場合には各サブフィールド間（特に、サステインパルス数を多く有するサブフィールド間）のサステインパルス数の差が大きくなくて疑似輪郭をさらに低減させることができる。図１２は図１１での配列Ｂのようなサステインパルスサブフィールド配列でコーディングテーブルを示す図面である。
【００４５】
つまり、本発明の実施例による制御部４００のサステインパルスサブフィールド変換部４４０は同一なサブフィールド数を有する二つのサステインパルスサブフィールド変換部４４２、４４４によってサステイン個数によって各々範囲を別にして動作をするようになって疑似輪郭を低減させることができる。
【００４６】
前記本発明の実施例では二つのサステインパルスグループに分けて互いに異なるサステインパルスサブフィールド配列を適用したが、三個のサステインパルスグループやその以上のパルスグループに分けて疑似輪郭をさらに低減させることができる。サステインパルスサブフィールド変換部４４０を三個グループ以上に分けて各グループに含まれるサステインパルス数である場合、各々サステインパルスサブフィールドを生成するにあっても各サステインパルスサブフィールド変換部のサブフィールド数は同一である。
【００４７】
サステインパルスサブフィールド変換部４４０によって変換されたサステインパルス数中心のサブフィールド配列のサブフィールドデータ（サステインパルス数データ）はＰＤＰ駆動部５００、つまりアドレス駆動部２００及び走査・維持駆動部３００に伝送されてプラズマディスプレイパネル１００上に表示される。
【００４８】
以上で本発明の好ましい実施例について詳細に説明しましたが本発明の権利範囲はこれに限定されることはなくて次の請求範囲で定義している本発明の基本概念を用いた当業者の多様な変形及び改良形態、または本発明の権利範囲に属することである。
【図面の簡単な説明】
【００４９】
【図１】交流型プラズマディスプレイパネルの一部斜視図である。
【図２】プラズマディスプレイパネルの電極配列を示す図面である。
【図３】プラズマディスプレイパネルの階調表示方法を示す図面である。
【図４】疑似輪郭が発生する一例を示す図面である。
【図５】本発明の実施例によるプラズマディスプレイパネルの概略的な平面図である。
【図６】本発明の実施例によるプラズマディスプレイパネルの制御部の概略的なブロック図である。
【図７】フレーム平均信号レベルとこの時に用いられるサステインのパルス数の関係の例を示す図面である。
【図８】逆ガンマ補正部がサステインのパルス数によって逆ガンマ補正テーブルを別にする一例を示す図面である。
【図９】サブフィールド数別最大に表示できるサステインのパルス数及び階調数と各サブフィールドでのサステインのパルス数を示す図面である。
【図１０】サステインのパルス数が１０２３の場合のサブフィールド配列のコーディングテーブルを示す図面である。
【図１１】各々のサステインのパルスサブフィールド変換部でのサステインのパルスサブフィールド配列の一例を示す図面である。
【図１２】図１１での配列Ｂのようなサステインのパルスサブフィールド配列でコーディングテーブルを示す図面である。
【符号の説明】
【００５０】
１００ プラズマパネル
２００ アドレス駆動部
３００ 走査・維持駆動部
４００ 制御部
【図１】
2005122188.tif 000005
【図２】
2005122188.tif 000006
【図３】
2005122188.tif 000007
【図４】
2005122188.tif 000008
【図５】
2005122188.tif 000009
【図６】
2005122188.tif 000010
【図７】
2005122188.tif 000011
【図８】
2005122188.tif 000012
【図９】
2005122188.tif 000013
【図１０】
2005122188.tif 000014
【図１１】
2005122188.tif 000015
【図１２】
2005122188.tif 000016